(57)【要約】引揚用締結具に関し、装着孔が貫通形成される胴体と、前記胴体上にロープまたはクレーンのフックがかかるように連結される引揚リングと、および前記引揚リング内に備えられながら引揚対象物にボルトが備えられた場合、前記ボルトに締結される締結ナットを含む。本発明によると、引揚リングの引張強度を高めるために引揚リングの間を支持するように設けられる変形防止部の基本的な機能の他に引揚る過程で引揚リングを持ち上げる力と引揚対象物の荷重により引張力が大きくなることを勘案するとき、引揚リングが締結ナット方向に引っ張られて変形する現象を防止することができ、締結ナットの回転空間を確保することができる。また、本発明は、引揚対象物に締結孔が備えられた場合、引揚用締結具に装着された締結ボルトで締結し、引揚対象物にボルトが備えられた場合、引揚用締結具から締結ボルトを分離した状態で締結ナットで締結し、引揚用締結具に装着された締結ボルトまたは引揚対象物に備えられたボルトの長さが長い場合、干渉する変形防止部を省略して効率良く使用することができる。【選択図】図３
2019509232.tif 000002
【特許請求の範囲】
【請求項１】
装着孔が貫通形成される胴体と、  前記胴体上にロープまたはクレーンのフックがかかるように連結される引揚リングと、  前記引揚リング内に備えられながら引揚対象物にボルトが備えられた場合、前記ボルトに締結される締結ナットを含む  ことを特徴とする引揚用締結具。
【請求項２】
前記引揚リングの両端部対向面に前記引揚リングの変形を防止するように変形防止部をさらに含む  請求項１に記載の引揚用締結具。
【請求項３】
前記装着孔と前記締結ナットに選択的に装着されて前記引揚対象物にナットが備えられた場合、前記胴体の下方で締結程度を調節できるように締結ボルトをさらに含む  請求項１に記載の引揚用締結具。
【請求項４】
前記変形防止部は凹んだ円弧状に形成される  請求項２に記載の引揚用締結具。
【請求項５】
前記変形防止部は、前記引揚リングの両端部に固定されるか、或いは着脱可能に備えられる  請求項２に記載の引揚用締結具。
【請求項６】
前記締結ナットは、前記胴体の上面に固定される  請求項１に記載の引揚用締結具。
【発明の詳細な説明】
【技術分野】
【０００１】
本発明は、引揚用締結具に関し、より詳しくは、引揚対象物を引揚るとき、ロープまたはクレーンのフックなどと引揚対象物を連結する引揚用締結具に関する。
【背景技術】
【０００２】
最近、様々な建設および建築工法が開発されながら重量物のコンクリート構造物をクレーンを使用して引揚ながら構造物を作ることが多い。  例えば、プレキャスト工法により予め作られたコンクリート構造物をクレーンを使用して所望する位置に置き、構造物と結合されるようにすることである。  
【０００３】
このとき、コンクリート構造物を移すためには、臨時でクレーンとコンクリート構造物とを締結しなければならないので、挿入アンカーをコンクリート構造物の内部に埋め立て、挿入アンカーの一部をコンクリート構造物の外部に露出した後、リングを持つアイボルトを連結した状態で前記アイボルトにあるリングにクレーンのワイヤやチェーンを連結してコンクリート構造物を移送させた。  
【０００４】
このような重量物のコンクリート構造物を引揚るためのアイボルトに関する技術が特許文献１および特許文献２に提案されている。  以下、従来技術として特許文献１および特許文献２に開示されたフリーアイボルトおよび半円形の頭部を持つアイボルトを簡単に説明する。  
【０００５】
図１は、特許文献１（以下、「従来技術１」という。）でフリーアイボルトを示す斜視図である。
図１に示すように、従来技術１のフリーアイボルトは、ボルト、ナットに孔を開けて結束リングを製品などに連結して使用するボルトであって、アイボルトの結合具と結合リングとを分離させて力を分配できる角度を与えるので、製品を上・下車するときに破損を防止するためのものである。  
【０００６】
しかし、従来技術１によるフリーアイボルトは結合リングにクレーンのフックなどがかかった状態で結合具が引揚対象物が固定されるが、クレーンのフックの連結部位である結合リングに荷重が集中されながら内方に変形されるという問題があった。  図２は、特許文献２（以下、「従来技術２」という。）で半円形の頭部を持つアイボルトを示す正面図である。  
【０００７】
図２に示すように、従来技術２の半円形の頭部を持つアイボルトは、内部に半円形空間３が形成され、上側に半円形状に突出し矩形の断面を持つ半円形ボルト頭部２と、前記半円形ボルト頭部２の下側に重量物６と平面に触れるように平面で形成される平面頭部下端部４と、前記平面頭部下端部４の中央から下側にネジが形成されて突出したネジ部５から成るアイボルト１で構成される。前記平面頭部下端部４は、ネジ部５の直径に比べて少なくとも３倍以上の広さ（幅）を有するようにして重量物６と十分な平面接触が行われるようにする。  
【０００８】
しかし、従来技術２による半円形の頭部を持つアイボルトもまた従来技術１と同様にボルト頭部２にクレーンのフックなどがかかった状態でネジ部５が引揚対象物が固定されるが、ボルト頭部２に荷重が集中されながら前記ボルト頭部２の両側端が内方に変形されるので、これに対する解決策が求められている。
【先行技術文献】
【特許文献】
【０００９】
【特許文献１】大韓民国登録実用新案第２０−０２８６０６９号公報
【特許文献２】大韓民国公開特許第２００３−００７４００１号公報
【発明の概要】
【発明が解決しようとする課題】
【００１０】
本発明は、上記のような問題点を解決するために案出されたものであって、引揚リングの引張強度を高めるために引揚リングの間を支持するように設けられる変形防止部の基本的な機能の他に引揚げる過程で引揚リングを持ち上げる力と引揚対象物の荷重により引張力が大きくなることを勘案するとき、引揚リングが締結ナット方向に引っ張られて変形される現象を防止しながら締結ナットの回転空間を確保できる引揚用締結具を提供することを目的とする。  
【００１１】
また、本発明の他の目的は、引揚対象物に締結孔が備えられた場合、引揚用締結具に装着された締結ボルトで締結し、引揚対象物にボルトが備えられた場合、引揚用締結具から締結ボルトを分離した状態で締結ナットで締結し、引揚用締結具に装着された締結ボルトまたは引揚対象物に備えられたボルトの長さが長い場合、干渉する変形防止部を省略して効率良く使用可能な引揚用締結具を提供する。
【課題を解決するための手段】
【００１２】
上記のような目的を達成するために、本発明は、装着孔が貫通形成される胴体と、前記胴体上にロープまたはクレーンのフックがかかるように連結される引揚リングと、および前記引揚リング内に備えられながら引揚対象物にボルトが備えられた場合、前記ボルトに締結される締結ナットを含む引揚用締結具を介して施されることができる。  また、前記引揚リングの両端部対向面に前記引揚リングの変形を防止するように変形防止部をさらに含むことができる。  
【００１３】
また、前記装着孔と前記締結ナットに選択的に装着されて前記引揚対象物にナットが備えられた場合、前記胴体の下方で締結程度を調節できるように締結ボルトをさらに含むことができる。  一方、前記変形防止部は、凹んだ円弧状に形成されることができる。  そして、前記変形防止部は、前記引揚リングの両端部に固定されるか、或いは着脱可能に備えられることができる。  また、前記締結ナットは、前記胴体の上面に固定されることができる。
【発明の効果】
【００１４】
本発明によると、引揚リングの引張強度を高めるために引揚リングの間を支持するように設けられる変形防止部の基本的な機能の他に引揚る過程で引揚リングを持ち上げる力と引揚対象物の荷重により引張力が大きくなることを勘案するとき、引揚リングが締結ナット方向に引っ張られて変形する現象を防止しながら締結ナットの回転空間を確保できる効果がある。また、本発明は、引揚対象物にボルトが備えられた場合、引揚用締結具に装着された締結ボルトで締結し、引揚対象物にボルトが備えられた場合、引揚用締結具から締結ボルトを分離した状態で締結ナットで締結し、引揚用締結具に装着された締結ボルトまたは引揚対象物に備えられたボルトの長さが長い場合、干渉する変形防止部を省略して効率良く使用可能な効果がある。
【図面の簡単な説明】
【００１５】
【図１】従来技術１によるフリーアイボルトを示す斜視図
【図２】従来技術２による半円形の頭部を持つアイボルトを示す正面図
【図３】本発明の第１実施例に係る引揚用締結具を示す分解斜視図
【図４】本発明の第１実施例に係る引揚用締結具が引揚対象物に固定された状態を示す正面図
【図５】本発明の第１実施例に係る引揚用締結具が引揚対象物に設けられた状態でクレーンのフックによってかかった状態を示す斜視図
【図６】本発明の第２実施例に係る引揚用締結具を示す分解斜視図
【図７】本発明の第２実施例に係る引揚用締結具が引揚対象物に固定された状態を示す正面図
【図８】本発明の第３実施例に係る引揚用締結具が引揚対象物に固定された状態を示す正面図
【発明を実施するための形態】
【００１６】
以下、本発明の属する技術分野において通常の知識を持つ者が容易に実施できるように、本発明の実施例について添付した図面を参照して詳細に説明する。しかし、本発明は、異なる形態で施されることができ、ここで説明する実施例に限定されない。明細書全体を通じて類似した部分については同一の符号を付けた。  
【００１７】
以下、本発明の構成について添付された図面を参照して説明すると、図３は本発明の第１実施例に係る引揚用締結具を示す分解斜視図であり、図４は本発明の第１実施例による引揚用締結具が引揚対象物に固定された状態を示す正面図、図５は本発明の第１実施例に係る引揚用締結具が引揚対象物に設けられた状態で、クレーンのフックによってかかった状態を示した斜視図である。  
【００１８】
これらの図によれば、本発明の第１実施例に係る引揚用締結具１００は、胴体１１０、引揚リング１２０、変形防止部１３０、締結ボルト１４０および締結ナット１５０を含んで成る。  胴体１１０は、矩形状で上下面に垂直方向の装着孔１１２が貫通形成される。  一方、前記装着孔１１２は、後述する締結ボルト１４０と固定および締結のために内周面に螺旋が形成される。  
【００１９】
引揚リング１２０は、胴体１１０の上部に鋳物を介して前記胴体１１０と一体に形成されるか、或いは前記胴体１１０とそれぞれが鋳物で作製された後、溶接などの方法により相互結合されて前記引揚用締結具１００を介して引揚対象物１０の移動時にロープまたはクレーンのフックなどが結合される。  さらに、前記引揚リング１２０は、胴体１１０の上面に平行に延びる一対の直線連結部と前記一対の直線連結部とを連結するリング連結部で構成される。  
【００２０】
一方、図示してはいないが、リング連結部の表面にロープまたはクレーンのフックなどの連結時に流動を防止しながらも、固定力を向上させることができるように多数の滑り止め突起が形成されることができる。  
【００２１】
変形防止部１３０は、引揚リング１２０の直線連結部とリング連結部の連結地点対向面に溶接などにより接合されてリング連結部にクレーンのフックなどがかかった状態で締結ボルト１４０が引揚対象物１０に固定される場合、リング連結部のうちクレーンのフックが触れる部位に荷重が集中されながら、前記直線連結部が内方に変形されるのを防止することができる。  このとき、前記変形防止部１３０は、凹んだ円弧状などに形成され、強度に優れた材質で形成されることが望ましい。  さらに、前記変形防止部１３０は、引揚リング１２０の直線連結部とリング連結部の連結地点対向面に溶接などにより固定されるものと例示する。  
【００２２】
締結ボルト１４０は、胴体１１０の装着孔１１２に装着されて前記胴体１１０の下方で前記装着孔１１２との締結程度を調節可能な無頭レンチボルトがこれに適用され、上面に工具挿入溝が形成されることもある。  
【００２３】
すなわち、前記締結ボルト１４０は、胴体１１０の装着孔１１２に沿って昇降可能に設けられて、上端は前記装着孔１１２を介して前記胴体１１０に締結され、下端は引揚対象物１０の締結孔１２に締結されて前記胴体１１０を前記引揚対象物１０に固定させる。  
【００２４】
特に、前記締結ボルト１４０は、上部垂直方向に引揚対象物１０を貫通しながら胴体１１０に配置された締結ナット１５０と締結されるので、前記引揚対象物１０を固定しながらも引揚る時の荷重を引揚リング１２０と胴体１１０ともに伝達するようになる。  
【００２５】
さらに、前記締結ボルト１４０は、ボルト頭部が備えられていないので、胴体１１０と引揚リング１２０との間隔が狭い場合、装着孔１１２の下方から上方に向かって締結することができ、その後、前記胴体１１０に固定された締結ナット１５０に締結結合することができる。  また、前記締結ボルト１４０は、上面に工具挿入溝が形成される場合、六角レンチ（ｗｒｅｎｃｈ）などの工具を介して締結程度を調節することができる。  
【００２６】
このように、前記締結ボルト１４０は、引揚リング１２０との干渉を受けない範囲内で長さを長くしながらボルト頭部が備えられていないので、胴体１１０の上方で締結し難いとき、前記胴体１１０の下方で締結することができる。  
【００２７】
また、前記締結ボルト１４０は、胴体１１０の装着孔１１２に先に締結された状態で、締結ナット１５０に後締結された後、前記締結ナット１５０との隣接した上面を溶接などを介して接合させてボルト頭部のあるボルトの形でも応用可能である。これは、前記締結ボルト１４０と前記締結ナット１５０をそれぞれが胴体１１０に先に結合させた後、前記締結ボルト１４０と前記締結ナット１５０を互いに後接合させてボルトの形で適用可能である。  
【００２８】
締結ナット１５０は、引揚リング１２０の内部、より詳しくは一対の直線連結部の間に配置されながら、締結ボルト１４０の上端に締結されるように内周面にネジ山が形成される。  
【００２９】
一方、前記締結ボルト１４０と前記締結ナット１５０は、強度に優れた合金鋼などの材質で備えられて耐久性の向上と、上方向または上方向に比べて脆弱な側方向に関係なく引揚力を支えることができる。  さらに、前記締結ナット１５０は、胴体１１０の上面に溶接などを介して固定されることができる。  従って、本発明の第１実施例に係る引揚用締結具１００は、引揚対象物を引揚るために設けられる過程は、以下の通りである。  
【００３０】
先ず、引揚用締結具１００が結合される引揚対象物１０に締結ボルト１３０のボルト胴体を貫通できるように孔を形成した後、前記引揚対象物１０を構成する孔の下部から上部方向に前記締結ボルト１４０のボルト胴体を挿入装着する。  次に、前記締結ボルト１４０を回転作動させてボルト胴体が装着孔１１２を貫通しながら締結ナット１５０に締結される。  
【００３１】
このとき、前記胴体１１０は、締結ボルト１４０と締結される締結ナット１５０を介して引揚対象物１０と強固に固定できるだけでなく、荷重を上・下部に伝達して一部分に集中荷重が伝達されるのを防止することができる。  
【００３２】
次に、引揚用締結具１００の胴体１１０上部に形成された引揚リング１２０にロープまたはクレーンのフックを装着した後、指定された場所に前記引揚対象物１０を引揚て運搬すれば良い。  
【００３３】
一方、引揚リング１２０の直線連結部とリング連結部の連結地点対向面に変形防止部１３０が備えられてリング連結部にクレーンのフックなどがかかった状態で締結ボルト１４０が引揚対象物１０に固定される場合、前記変形防止部１３０によ
り前記引揚リング１２０の引張強度を向上させることができるように直線連結部の間を支持することができ、その他に引揚げるの過程で前記引揚リング１２０を持ち上げる力と引揚対象物１０の荷重により引張力が大きくなることを勘案するとき、引揚リングが締結ナット方向に引っ張られて変形される現象を防止することができ、締結ナット１４０の回転空間を確保することができる。  
【００３４】
図６は本発明の第２実施例に係る引揚用締結具を示す分解斜視図であり、図７は本発明の第２実施例に係る引揚用締結具が引揚対象物に固定された状態を示す正面図ある。  
【００３５】
これらの図によれば、本発明の第２実施例に係る引揚用締結具２００は、胴体２１０、引揚リング２２０、変形防止部２３０および締結ナット２５０を含み、前記胴体１１０、引揚リング２２０、変形防止部２３０および締結ナット２５０は、上記の実施例のそれと同一の構造と機能をするので、詳細な説明は省略する。  
【００３６】
ただ、本実施例の引揚用締結具２００は、第１実施例と異なって引揚対象物１０にボルトＢが備えられた場合、上記の実施例での締結ボルトを省略し、前記引揚対象物１０にボルトＢに胴体２１０上に固定された締結ナット２５０を直ちに締結させる。  ここで、説明されていない符号２１２は装着孔である。  図８は、本発明の第３実施例に係る引揚用締結具が引揚対象物に固定された状態を示す正面図である。  
【００３７】
この図によれば、本発明の第３実施例に係る引揚用締結具３００は、胴体３１０、引揚リング３２０、締結ボルト３４０および締結ナット３５０を含み、前記胴体３１０、引揚リング３２０、締結ボルト３４０および締結ナット３５０は、第１実施例のそれと同一の構造と機能をするので、詳細な説明は省略する。  
【００３８】
ただ、本実施例では、上記の第１および第２実施例と異なって引揚対象物１０）に備えられたボルトＢまたは引揚用締結具３００に装着された締結ボルト３４０の長さが長くて締結ナット３５０の上に突出する場合、これを干渉する変形防止部を省略することができる。  ここで、説明されていない符号３１２は装着孔である。  
【００３９】
以上のように、本発明は、たとえ限定された実施例と図面によって説明されたが、本発明は、上記の実施例に限定されるものではなく、本発明の属する分野において通常の知識を有する者であれば、これらの記載から様々な修正および変形が可能である。  
【００４０】
よって、本発明の範囲は、説明された実施例に限定されて定められてはならず、後述する特許請求の範囲だけでなく、この特許請求の範囲と均等なものに定められなけれる。
【図１】
2019509232.tif 000003
【図２】
2019509232.tif 000004
【図３】
2019509232.tif 000005
【図４】
2019509232.tif 000006
【図５】
2019509232.tif 000007
【図６】
2019509232.tif 000008
【図７】
2019509232.tif 000009
【図８】
2019509232.tif 000010
【手続補正書】
【提出日】平成30年7月26日(2018.7.26)
【手続補正１】
【補正対象書類名】特許請求の範囲
【補正対象項目名】全文
【補正方法】変更
【補正の内容】
【特許請求の範囲】
【請求項１】
装着孔が貫通形成される胴体と、
前記胴体の両側部上に一体に形成される、所定のロープまたはクレーンのフックがかかるように連結される引揚リングと、
前記引揚リング内に位置され、引揚対象物に無頭形ボルトが備えられた場合、前記ボルトに締結されるか、或いは前記引揚対象物にナットが備えられた場合、前記胴体の下方で締結程度を調節できるように備えられた円筒形の無頭形締結ボルトに締結される締結ナットと、
前記引揚リングの直線連結部と前記直線連結部の両方上端から延びた円弧状のリング連結部の連結地点対向面に前記引揚リングと別途に着脱可能に備えられて前記引揚リングの変形を防止するように変形防止部を含み、
前記装着孔の内周面に螺旋が形成されて前記ボルトまたは前記締結ボルトとの締結力を向上させ、
前記変形防止部は前記引揚リングに比べて高強度の材質で形成され、その形状が前記締結ナット方向に凸状に形成された円弧状である
ことを特徴とする引揚用締結具。
【請求項２】
前記締結ナットは前記胴体の上面に固定される
請求項１に記載の引揚用締結具。
【国際調査報告】
2019509232.tif 000011
2019509232.tif 000012
2019509232.tif 000013
2019509232.tif 000014